(57)【要約】【課題】    扉体の閉鎖速度の安定化を図ることができる建具を提供すること。【解決手段】ドアクローザ１０のクローザ本体部１１の表面を覆うカバー材２０で構成された断熱手段を設け、このカバー材２０によってクローザ本体部１１内の油圧ダンパへの外部からの熱伝導を遮断することで、油圧ダンパ内のオイルの粘性変化が抑制され、油圧ダンパに一定の減衰力を発揮させることができ、ドアクローザ１０周囲の温度変化に関わらず扉体の閉鎖速度を適正な速度に安定化させることができる。従って、扉体が速すぎる閉鎖速度で閉じたり、完全に閉じきらなかったりというような閉鎖不良を防止することができ、玄関ドアの操作性を良好に維持することができる。【選択図】  図４
2006348652.tif 000002
【特許請求の範囲】
【請求項１】
建物外壁に設けられた枠体と、この枠体に開閉自在に支持された扉体と、この扉体を閉方向に付勢する扉体閉鎖装置とを備えた建具であって、
前記扉体閉鎖装置は、前記扉体の室内側側面または枠体の室内位置に固定された装置本体部と、この装置本体部に内蔵された付勢手段および油圧ダンパと、これらの付勢手段および油圧ダンパに接続されるとともに前記装置本体部から突出した軸部と、この軸部に一端が連結されるとともに他端が前記枠体または前記扉体に連結されたリンク機構と、前記油圧ダンパへの外部からの熱伝導を遮断する断熱手段とを備えて構成されている建具。
【請求項２】
前記断熱手段は、前記装置本体部の表面を覆うカバー材を有して構成されている請求項１に記載の建具。
【請求項３】
前記カバー材は、一面が開口された略直方体状に形成され、このカバー材の開口端縁には、前記軸部を挿通させる切欠きが設けられている請求項２に記載の建具。
【請求項４】
前記断熱手段は、前記カバー材の切欠き位置における前記装置本体部の表面を覆う補助カバー材を有して構成されている請求項３に記載の建具。
【請求項５】
前記カバー材は、一面が開口された略直方体状に形成されるとともに、前記軸部を挟んで左右に分割され、この分割位置における当該カバー材の端縁には、前記軸部を左右両側から囲む一対の切欠きが対向して設けられている請求項２に記載の建具。
【請求項６】
前記断熱手段は、前記軸部における前記装置本体部から突出した部分を密着して覆う軸部カバー材を有して構成されている請求項２から請求項５のいずれかに記載の建具。
【発明の詳細な説明】
【技術分野】
【０００１】
本発明は、建具に関し、詳しくは、建物外壁に設けられた枠体と、この枠体に開閉自在に支持された扉体と、この扉体を閉方向に付勢する扉体閉鎖装置とを備えた建具に関する。
【背景技術】
【０００２】
玄関ドア等の建具において、扉体を閉方向に付勢して扉体を閉鎖させる扉体閉鎖装置（いわゆる、ドアクローザ）が知られている（例えば、特許文献１参照）。
このドアクローザとしては、扉体に固定される金属製のクローザ本体と、クローザ本体から突出した回転軸と、この回転軸とドア枠とに連結されたリンク機構と、クローザ本体に内蔵されて回転軸を回転付勢するばねと、クローザ本体に内蔵されて回転軸の回転速度（扉体の閉鎖速度）を減衰させる油圧ダンパと、を備えた構造が一般的である。そして、扉体を開放した際に、リンク機構を介して回転軸がばねの付勢力に抗して回転され、扉体の開放操作を中止すれば、ばねの付勢力によって付勢された回転軸の回転力（トルク）で扉体が閉じるようになっている。さらに、回転軸の回転速度に比例して油圧ダンパの減衰力を作用させることで、適正な閉鎖速度を超えた速度で扉体が閉じないようになっている。
【０００３】
【特許文献１】特開２０００−１８６４６０号公報
【発明の開示】
【発明が解決しようとする課題】
【０００４】
しかしながら、前記特許文献１に記載された従来のドアクローザでは、クローザ本体周囲の温度変化の影響によって油圧ダンパ内のオイルの粘性が変化し、作用させる減衰力がばらついてしまい、扉体の閉鎖速度を適正に維持することが難しいという問題がある。
すなわち、例えば、室内の気温（室温）と外気温との差がある場合等において、扉体を数分間開放した後に油圧ダンパ内のオイルの粘性が変化することで、扉体の閉鎖速度が安定しないことがある。
【０００５】
本発明の目的は、扉体の閉鎖速度の安定化を図ることができる建具を提供することにある。
【課題を解決するための手段】
【０００６】
本発明の建具は、建物外壁に設けられた枠体と、この枠体に開閉自在に支持された扉体と、この扉体を閉方向に付勢する扉体閉鎖装置とを備えた建具であって、前記扉体閉鎖装置は、前記扉体の室内側側面または枠体の室内位置に固定された装置本体部と、この装置本体部に内蔵された付勢手段および油圧ダンパと、これらの付勢手段および油圧ダンパに接続されるとともに前記装置本体部から突出した軸部と、この軸部に一端が連結されるとともに他端が前記枠体または前記扉体に連結されたリンク機構と、前記油圧ダンパへの外部からの熱伝導を遮断する断熱手段とを備えて構成されていることを特徴とする。
【０００７】
ここで、断熱手段としては、扉体閉鎖装置の装置本体部を覆うカバー材でもよく、装置本体部の内部に設けられて油圧ダンパを覆うカバー材でもよい。このようなカバー材は、装置本体部や油圧ダンパを被覆する形態のものでもよく、また装置本体部や油圧ダンパの表面に接着されるものでもよい。また、断熱手段としては、装置本体部内において油圧ダンパの周囲に設けられた真空層や、液体状の断熱材を密封した断熱層であってもよい。さらに、断熱手段としては、装置本体部自体や軸部、油圧ダンパのシリンダを熱伝導率の低い材料（例えば、エンジニアリングプラスチックやグラスファイバ入りＡＢＳ樹脂等）で形成した構造であってもよい。
【０００８】
以上の本発明によれば、断熱手段によって油圧ダンパへの外部からの熱伝導を遮断することで、油圧ダンパ内のオイルの粘性変化を抑制し、一定の減衰力を発揮させることができ、扉体閉鎖装置周囲の温度変化に関わらず扉体の閉鎖速度を適正な速度に安定化させることができる。従って、室温と外気温との差が大きい時に扉体を数分間開放した場合などにおいても、油圧ダンパ内のオイルの粘性変化が防止でき、扉体の閉鎖速度の安定化を図ることができる。
【０００９】
この際、本発明の建具では、前記断熱手段は、前記装置本体部の表面を覆うカバー材を有して構成されていることが好ましい。
このような構成によれば、装置本体部にカバー材を取り付けることで、外部から装置本体部およびその内部の油圧ダンパへの熱伝導を抑制することができる。さらに、装置本体部自体や油圧ダンパを特殊な構造にしなくてもよいため、従来のドアクローザを利用することができ、製造コストを低減することができるとともに、既存の建具に取り付けられたドアクローザをカバー材で覆うだけで前述の効果を得ることもできる。
【００１０】
さらに、本発明の建具では、前記カバー材は、一面が開口された略直方体状に形成され、このカバー材の開口端縁には、前記軸部を挿通させる切欠きが設けられていることが好ましい。
このような構成によれば、カバー材の一面に開口を設けるとともに、この開口端縁に切欠きを設けたことで、扉体閉鎖装置を枠体および扉体に取り付けた状態において、カバー材を装置本体部に対して容易に着脱することができ、カバー材を外せば付勢手段の付勢力や油圧ダンパの減衰力の調節を容易に実施することができる。さらに、既存の建具における扉体閉鎖装置にカバー材を取り付ける場合にも、扉体閉鎖装置を取り外す必要がなく、カバー材の取り付けを容易に実施することができる。
【００１１】
さらに、本発明の建具では、前記断熱手段は、前記カバー材の切欠き位置における前記装置本体部の表面を覆う補助カバー材を有して構成されていることが好ましい。
このような構成によれば、カバー材の切欠き位置において補助カバー材で装置本体部の表面を覆うことで、切欠き部分の装置本体部が露出することがなく、この部分からの熱伝導を遮断することができ、上述の効果を一層確実に実現することができる。
【００１２】
また、本発明の建具では、前記カバー材は、一面が開口された略直方体状に形成されるとともに、前記軸部を挟んで左右に分割され、この分割位置における当該カバー材の端縁には、前記軸部を左右両側から囲む一対の切欠きが対向して設けられていることが好ましい。
このような構成によれば、カバー材を左右に分割するとともに、この分割位置に軸部を囲む切欠きを設けたことで、装置本体部から突出した軸部の周囲を隙間なくカバー材で囲むことができ、装置本体部への外部からの熱伝導をさらに抑制することができる。そして、カバー材が装置本体部に対して着脱可能であるので、前述と同様に付勢手段の付勢力や油圧ダンパの減衰力を容易に調節することができるとともに、既存の扉体閉鎖装置に対しても容易に取り付けることができる。
【００１３】
また、本発明の建具では、前記断熱手段は、前記軸部における前記装置本体部から突出した部分を密着して覆う軸部カバー材を有して構成されていることが好ましい。
このような構成によれば、装置本体部から突出した軸部を軸部カバー材で覆うことで、熱橋（ヒートブリッジ）になりやすい軸部からの熱伝導も抑制することができ、油圧ダンパへの熱伝導をさらに一層抑制することができる。
【発明を実施するための最良の形態】
【００１４】
以下、本発明の各実施形態を図面に基づいて説明する。
なお、第２実施形態以降において、次の第１実施形態で説明する構成部材と同じ構成部材、および同様な機能を有する構成部材には、第１実施形態の構成部材と同じ符号を付し、それらの説明を省略または簡略化する。
【００１５】
〔第１実施形態〕
図１は、本発明の第１実施形態に係る建具である玄関ドア１を室内側から見た正面図である。図２は、玄関ドア１に設けられた扉体閉鎖装置であるドアクローザ１０を拡大して示す正面図である。図３〜図５は、それぞれドアクローザ１０を示す側面図、斜視図および平面図である。
図１〜図５において、玄関ドア１は、戸建て住宅や集合住宅等の建物の出入り口（玄関や勝手口）に設けられて建物の室内空間と室外空間とを仕切るとともに、開閉することで居住者等が出入り可能、かつ施錠することで防犯性を有して構成されたものである。
【００１６】
玄関ドア１は、上枠２および左右の縦枠３を有して建物外壁に固定された枠体としてのドア枠４と、金属製の板材を組み合わせて全体略矩形状に形成されてドア枠４に開閉自在に支持された扉体５と、この扉体５を閉方向に付勢する扉体閉鎖装置としてのドアクローザ１０とを備えて構成されている。
ドアクローザ１０は、扉体５の室内側側面に固定されたクローザ本体部（装置本体部）１１と、このクローザ本体部１１に内蔵された付勢手段としてのばね（不図示）および油圧ダンパ（不図示）と、これらのばねおよび油圧ダンパに接続されるとともにクローザ本体部１１から上下に突出した回転軸（軸部）１２と、この回転軸１２に一端が連結されるとともに他端がドア枠４に連結されたリンク機構１３とを備えて構成されている。
【００１７】
リンク機構１３は、クローザ本体部１１から上方に突出した回転軸１２に一端（リンク機構１３の一端）が固定された第１アーム１３１と、この第１アーム１３１の他端に一端が回転自在に連結された第２アーム１３２と、この第２アーム１３２の他端が回転自在に連結されかつドア枠４に固定されたブラケット１３３（リンク機構１３の他端）とを有して構成されている。そして、扉体５を開放操作した場合には、リンク機構１３を介して回転軸１２がばねの付勢力に抗して回転され、このばねの付勢力が回転軸１２およびリンク機構１３を介してドア枠４に伝達されることで、扉体５が自動的に閉じるようになっている。
【００１８】
油圧ダンパは、クローザ本体部１１内部に一体形成されたシリンダと、このシリンダ内に摺動自在に設けられて回転軸１２の回転に連動するピストンと、シリンダ内に封入されたオイルとを有して構成されている。そして、回転軸１２の回転に伴ってピストンがオイルの粘性抵抗に抗してシリンダ内を移動することで減衰力が作用し、この減衰力によって、回転軸１２の回転速度つまり扉体５の開閉速度が抑制されるようになっている。このようなドアクローザ１０によれば、閉鎖速度を適正に調節し、かつ確実に扉体５を閉鎖させることができるようになっている。
以上のドアクローザ１０は、一般的に市販されているものであって、従来のドアにも広く採用されているものである。
【００１９】
本実施形態の玄関ドア１において、ドアクローザ１０には、クローザ本体部１１の表面を覆うカバー材２０で構成された断熱手段が設けられている。この断熱手段は、油圧ダンパへの外部からの熱伝導を遮断し、油圧ダンパのオイルの粘性変化を抑制させるものである。
カバー材２０は、低い熱伝導率を有する断熱材料を含んだ樹脂製であって、一面（室外側側面）が開口された略直方体状に形成されている。
ここで、カバー材２０を構成する断熱材料の熱伝導率としては、０．０１Ｗ／ｍＫ以下が望ましく、さらには０．００５Ｗ／ｍＫ以下が望ましい。
【００２０】
カバー材２０は、上面部２１、下面部２２、左右の側面部２３、および室内側の正面部２４を有し、かつ室外側に開口２５を有した全体箱状に形成されている。そして、クローザ本体部１１に取り付けた状態において、カバー材２０の各面部２１，２２，２３，２４がクローザ本体部１１の上下左右表面および室内側表面に密接するとともに、上下左右の各面部２１，２２，２３における開口２５側の端縁（開口端縁）が扉体５に密接するようになっている。
【００２１】
カバー材２０の上面部２１および下面部２２には、各々の開口端縁から室内側に向かって切り欠かれた切欠き２６が形成されている。これらの切欠き２６は、カバー材２０をクローザ本体部１１に取り付けた状態で回転軸１２を挿通させるために設けられたものである。そして、切欠き２６を形成したことによって、カバー材２０は、図３〜図５に示すように、扉体５に固定された状態のクローザ本体部１１に対して室内側から着脱可能になっている。
【００２２】
さらに、本実施形態における断熱手段としては、カバー材２０に併せて、図６に示すような補助カバー材２７や、図７に示すような軸部カバー材２８を備えて構成されていてもよい。
図６は、断熱手段を構成する補助カバー材２７を示す斜視図である。図７は、ドアクローザ１０Ａに設けられた軸部カバー材２８を示す斜視図である。図８は、補助カバー材２７および軸部カバー材２８を用いた場合のドアクローザ１０を示す平面図である。
補助カバー材２７は、カバー材２０と同一材料から形成された板材であって、カバー材２０の切欠き２６に対向した半円形の切欠き２７１を有して形成されている。そして、カバー材２０の切欠き２６と補助カバー材２７の切欠き２７１とを連続させることによって、ドアクローザ１０の回転軸１２の側周面全長に渡ってカバー材２０および補助カバー材２７でクローザ本体部１１を覆うことができるようになっている。また、補助カバー材２７の側端縁には、段部２７２が形成され、カバー材２０の切欠き２６内側縁にも段部２６１が形成されており、これらの段部２６１，２７２を係合させてカバー材２０を取り付けることで、クローザ本体部１１から補助カバー材２７が外れないようになっている。
【００２３】
また、軸部カバー材２８は、樹脂製の円環状部材であって、図７に示すように、内周面２８１と、外周面に形成された段部２８２とを有して形成されている。そして、軸部カバー材２８は、ドアクローザ１０の第１アーム１３１を取り外した状態の回転軸１２に挿入され、回転軸１２の外周面に密接して取り付けられるとともに、カバー材２０の切欠き２６に段部２８２が係合されるようになっている。従って、カバー材２０を取り付けた状態で、クローザ本体部１１および回転軸１２から軸部カバー材２８が外れないようになっている。なお、補助カバー材２７の切欠き２７１内周を、軸部カバー材２８の段部２８２に係合するような形状に形成しておき、この切欠き２７１によって軸部カバー材２８の外れ止めを構成するようにしてもよい。
【００２４】
このような本実施形態によれば、以下のような効果がある。
（１）すなわち、カバー材２０によってクローザ本体部１１内の油圧ダンパへの外部からの熱伝導が遮断されるので、油圧ダンパ内のオイルの粘性変化が抑制され、油圧ダンパにより一定の減衰力が発揮でき、ドアクローザ１０周囲の温度変化に関わらず扉体５の閉鎖速度を適正な速度に安定化させることができる。従って、扉体５が速すぎる閉鎖速度で閉じたり、完全に閉じきらなかったりというような閉鎖不良を防止することができ、玄関ドア１の操作性を良好に維持することができる。
【００２５】
（２）さらに、クローザ本体部１１を覆うカバー材２０で断熱手段が構成されているので、クローザ本体部１１自体や内部の油圧ダンパを特殊な構造にしなくても熱伝導が遮断でき、一般的な構造のクローザ本体部１１を利用することができ、製造コストを低減することができるとともに、既存のドア等に取り付けられたドアクローザの本体部をカバー材２０で覆えば、既存のドアにおいても扉体５の閉鎖速度を安定化させることができる。
【００２６】
（３）また、カバー材２０における上面部２１の開口端縁に切欠き２６が設けられているので、クローザ本体部１１やリンク機構１３をドア枠４や扉体５から取り外すことなく、カバー材２０をクローザ本体部１１に対して容易に着脱することができ、カバー材２０を外せば、ばねの付勢力や油圧ダンパの減衰力の調節を容易に実施することができる。さらに、既存のドア等におけるクローザ本体部１１にカバー材２０を取り付ける場合にも、クローザ本体部１１を取り外す必要がなく、カバー材２０の取り付けを容易に実施することができる。
【００２７】
（４）また、図６、８に示したように、カバー材２０の切欠き２６の回転軸１２を挟んで反対側に補助カバー材２７が設けられ、この補助カバー材２７で切欠き２６に対応した位置のクローザ本体部１１表面を覆うことで、切欠き２６部分のクローザ本体部１１が露出することがなく、この部分からの熱伝導を遮断することができる。
【００２８】
（５）また、図７、８に示したように、クローザ本体部１１から突出した回転軸１２に軸部カバー材２８が挿入されているので、熱橋（ヒートブリッジ）になりやすい回転軸１２からの熱伝導も抑制することができ、油圧ダンパへの熱伝導をさらに抑制することができ、扉体５の閉鎖速度の安定化を促進させることができる。
【００２９】
〔第２実施形態〕
次に、本発明の第２実施形態について、図９および図１０に基づいて説明する。
図９は、第２実施形態に係る玄関ドアに設けられたドアクローザ１０Ａを示す平面図である。図１０は、ドアクローザ１０Ａにおけるカバー材３０の取付手順を説明する斜視図である。
本実施形態の玄関ドアに設けられたドアクローザ１０Ａは、前記第１実施形態のドアクローザ１０と比較して、カバー材の構成が相違するのみで、その他の構成は、第１実施形態と略同様である。以下、相違点について説明する。
【００３０】
カバー材３０は、図９に示すように、上面部３１、下面部３２、左右の側面部３３、および室内側の正面部３４を有し、かつ室外側に開口３５を有した全体略直方体状のものを、回転軸１２を挟んで左右に分割して形成されている。すなわち、カバー材３０は、図９中、右側の第１カバー材３０Ａと、左側の第２カバー材３０Ｂとに分割されており、上面部３１および下面部３２が第１および第２のカバー材３０Ａ，３０Ｂに分けて設けられ、正面部３４が第１カバー材３０Ａに設けられている。そして、第１および第２のカバー材３０Ａ，３０Ｂの上面部３１および下面部３２における分割位置である側端面３１Ａには、回転軸１２を左右両側から囲む半円形の一対の切欠き３６が対向して形成されている。これらの切欠き３６を形成したことによって、第１および第２のカバー材３０Ａ，３０Ｂは、図９、図１０に示すように、扉体５に固定された状態のクローザ本体部１１に対して左右両側からスライドさせて着脱可能になっている。
【００３１】
このような本実施形態によれば、前述の(１)、(２)、（５）の効果に加えて以下のような効果がある。
（６）すなわち、カバー材３０が左右に分割されるとともに、この分割位置の端面３１Ａに回転軸１２を囲む一対の切欠き３６が設けられているので、クローザ本体部１１から突出した回転軸１２の周囲を隙間なくカバー材３０で囲むことができ、クローザ本体部１１への外部からの熱伝導をさらに抑制することができる。そして、カバー材３０がクローザ本体部１１に対して着脱可能であるので、前述の（３）の効果と同様にばねの付勢力や油圧ダンパの減衰力を容易に調節することができるとともに、既存のドアクローザに対しても容易にカバー材３０を取り付けることができる。
【００３２】
なお、本発明は、前記各実施形態に限定されるものではなく、本発明の目的を達成できる他の構成等を含み、以下に示すような変形等も本発明に含まれる。
例えば、前記各実施形態では、断熱手段として、クローザ本体部１１の表面を覆うカバー材２０，３０を採用したが、本発明の断熱手段は、このようなカバー材２０，３０に限定されない。
すなわち、クローザ本体部１１の表面に接着剤を介して断熱シート等の断熱材を固定した構造や、クローザ本体部１１内の油圧ダンパを断熱材で被覆した構造等で断熱手段を構成してもよい。また、クローザ本体部１１内の油圧ダンパ周囲に真空層を設けた構造や、油圧ダンパ周囲に液体状の断熱材を密封した断熱層を設けた構造等で断熱手段を構成してもよい。さらに、クローザ本体部１１や回転軸１２、油圧ダンパのシリンダ等を、断熱性のある材料つまり熱伝導率の低い材料で形成してもよい。このような熱伝導率の低い材料としては、所定の強度を確保しやすいエンジニアリングプラスチックやグラスファイバ入りＡＢＳ樹脂等が例示できる。
【００３３】
また、前記各実施形態では、ドアクローザ１０のクローザ本体部１１を扉体５に固定し、リンク機構１３の他端であるブラケット１３３をドア枠４に固定したが、これに限らず、クローザ本体部１１をドア枠４に固定し、リンク機構１３の他端を扉体５に連結してもよい。
さらに、前記各実施形態のドアクローザ１０は、外開き形式の扉体５に対応したものであったが、内開き形式の扉体５に対応したドアクローザであってもよい。この場合には、リンク機構１３の各アーム１３１，１３２の取付構造が相違するのみで、他の構成は前記実施形態の構成が採用できる。
【００３４】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００３５】
【図１】本発明の第１実施形態に係る建具を室内側から見た正面図である。
【図２】前記建具に設けられた扉体閉鎖装置を拡大して示す正面図である。
【図３】前記扉体閉鎖装置を示す側面図である。
【図４】前記扉体閉鎖装置を示す斜視図である。
【図５】前記扉体閉鎖装置を示す平面図である。
【図６】前記扉体閉鎖装置に設けられる補助カバー材を示す斜視図である。
【図７】前記扉体閉鎖装置に設けられる軸部カバー材を示す斜視図である。
【図８】前記補助カバー材および軸部カバー材を備えた扉体閉鎖装置を示す平面図である。
【図９】本発明の第２実施形態に係る建具に設けられた扉体閉鎖装置を示す平面図である。
【図１０】前記扉体閉鎖装置におけるカバー材の取付手順を説明する斜視図である。
【符号の説明】
【００３６】
４…枠体であるドア枠、５…扉体、１０…扉体閉鎖装置であるドアクローザ、１１…装置本体部であるクローザ本体部、１２…軸部である回転軸、１３…リンク機構、２０，３０…断熱手段であるカバー材、２６，３６…切欠き、２７…補助カバー材、２８…軸部カバー材。
【図１】
2006348652.tif 000003
【図２】
2006348652.tif 000004
【図３】
2006348652.tif 000005
【図４】
2006348652.tif 000006
【図５】
2006348652.tif 000007
【図６】
2006348652.tif 000008
【図７】
2006348652.tif 000009
【図８】
2006348652.tif 000010
【図９】
2006348652.tif 000011
【図１０】
2006348652.tif 000012